(57)【要約】【課題】たとえば精紡機のクリール内で、ピン１にボビンを保持するための装置であって、ピン１が、回動可能に支持ボルト２と結合されており、ピン１が、支持ボルト２との結合部の周りに滑り面３を備えている形式のものを改良して、一方では所望の制動作用が達成され、他方では摩擦および摩耗が低減されるようなものを提供する。【解決手段】滑りウェイト１０が、自重によって滑り面３に載設している。【選択図】図１
2006151696.tif 000002
【特許請求の範囲】
【請求項１】
有利には精紡機のクリール内で、ピン（１）にボビンを保持するための装置であって、
ピン（１）が、回動可能に支持ボルト（２）と結合されており、ピン（１）が、支持ボルト（２）との結合部の周りに滑り面（３）を備えている形式のものにおいて、
滑りウェイト（１０）が、自重によって滑り面（３）に載設していることを特徴とする、保持装置。
【請求項２】
滑りウェイト（１０）が、専ら自重によって滑り面（３）に載設している、請求項１記載の装置。
【請求項３】
滑り面（３）が、湾曲して形成されており、滑りウェイト（１０）の下面（１３）が、前記滑り面（３）の湾曲形状に対応する形状に形成されているか、または滑り面（３）および下面（１３)が、フラットに形成されている、請求項１または２記載の装置。
【請求項４】
滑りウェイト（１０）が、支持ボルト（２）に対して回動不能になっている、請求項１から３までのいずれか１項記載の装置。
【請求項５】
滑りウェイト（１０）が、鉛直方向を除いて、支持ボルト（２）と形状接続式に結合していて、かつ支持ボルト（２）に対して回動不能になっている、請求項４記載の装置。
【請求項６】
支持ボルト（２）が、滑りウェイト（１０）の領域で多角形部材（８）を備えており、多角形部材（８）が、滑りウェイト（１０）に設けられた多角形開口（９）を貫通しているか、または支持ボルトおよび滑りウェイト（１０）の開口が、非円形の横断面を有している、請求項５記載の装置。
【請求項７】
滑りウェイト（１０）が、支持ボルト（２）に沿って軸方向で移動可能になっている、請求項１から６までのいずれか１項記載の装置。
【請求項８】
ピン（１）が、支持ボルト（２）に対して枢着式に旋回可能になっている、請求項１から７までのいずれか１項記載の装置。
【請求項９】
滑りウェイト（１０）が、金属から成っている、請求項１から８までのいずれか１項記載の装置。
【請求項１０】
滑りウェイト（１０）が、摩耗層の被覆された基体を備えている、請求項９記載の装置。
【請求項１１】
基体が、特に亜鉛合金から成っていて、かつダイカスト法で製作されるようになっている、請求項１０記載の装置。
【請求項１２】
摩耗層が、クロムまたはニッケルから成っている、請求項９または１０記載の装置。
【発明の詳細な説明】
【技術分野】
【０００１】
本発明は、たとえば精紡機のクリール内で、ピンにボビンを保持するための装置であって、ピンが、回動可能に支持ボルトと結合されており、ピンが、支持ボルトとの結合部の周りに滑り面を備えている形式のものに関する。
【背景技術】
【０００２】
ボビンホルダは多種様々な形状および構造で存在する。一例として欧州特許第０４１３８４０号明細書を参照すると、ここではボビンがピンに被せ嵌められ、ピンに設けられたスライドエレメントによって、コイルのための保持機構が作動される。ピン自体は支持ピンを中心に回動し、支持ピンはレール、架構または搬送ベルトなどに取り付けられている。この場合ピンは、フードによって覆われており、フードに制動ばねが押し付けられる。実際には、ばね負荷されたフードは、ピンもしくはピンの上位の滑り面に沿って良好な滑り対偶を成さないことが判った。なぜならば過度に高い摩耗が生じるからである。フードとピンとの間の摩擦が大きすぎるので、粗糸破断が頻繁に生じる。
【０００３】
ばね力が低下すると、これに対抗して働くが、このことは同時に制動作用の低下を意味し、これは所望されない。
【特許文献１】欧州特許第０４１３８４０号明細書
【発明の開示】
【発明が解決しようとする課題】
【０００４】
したがって本発明の課題は、冒頭で述べたような形式の保持装置を改良して、一方では所望の制動作用が達成され、他方では摩擦および摩耗が低減されるようなものを提供することである。
【課題を解決するための手段】
【０００５】
この課題を解決するための本発明の装置によれば、滑りウェイトが、自重によって滑り面に載設している。
【発明の効果】
【０００６】
本発明の構成によれば、ばねを省略することができるので、所望の制動作用を得るためには、専ら滑りウェイトの自重で十分である。滑りウェイトの自重は、たとえばピンが支持ボルトに枢着式に旋回される場合でもほとんど変化しない。このような枢着式の旋回では、ばねの力に抗する旋回による追加的な押圧が行われず、これによって摩擦が高められることはなく、滑りウェイトと滑り面との間の摩擦は不変である。
【０００７】
本発明による有利な実施例では、滑り面は球冠状（ドーム形）に湾曲して形成されており、これによって滑りウェイトの下面は、滑り面の湾曲に追従して形成されている。しかしながらこれは一例に過ぎず、実際には、幾何学的に別の形状の表面対も適当なものとしてみなされる。
【０００８】
有利には、滑りウェイトは回動不能になっている。これの意味するところによれば、滑りウェイトは、滑り面に対して「固定的」に維持される。「固定的」とは、本発明の範囲内では、滑りウェイトが僅かに連行して回動し得る、ということも含まれるが、制動作用は維持される。
【０００９】
原則的に、滑りウェイトは、支持ボルトと形状接続式に結合されると、固定的に維持される。最も簡単な実施形態では、形状接続式の結合は、支持ボルトに、滑りウェイトにおける適当な多角形開口を貫通する多角形部材が対応配置されていることによって得られ、その結果相対回動に対するロックが保証されており、しかも支持ボルトに沿った滑りウェイトの軸方向の移動は実現されたままである。もちろん支持ボルトとの別の伝力接続式（kraftschluessig；力伝達式）または機械的な結合も可能である。
【００１０】
滑りウェイトおよび滑り面の表面のためにできるだけ摩耗しにくい材料が提供され、これに応じて摩擦は良好に作用する。滑りウェイトのために、望ましくはできるだけ金属が使用される。経済的な理由から、望ましくは滑りウェイトの基体は亜鉛合金から成っていて、かつダイカストで製作される。したがって下面のコーティングは、クロムまたはニッケルで行われる。
【発明を実施するための最良の形態】
【００１１】
次に本発明の実施の形態を図示の実施例を用いて詳しく説明する。
【００１２】
ボビンを収容して保持するために、保持装置はピン１を備えており、ピン１は、たとえば欧州特許第号０４１３８４０明細書に記載されているように構成されていて、かつ内部エレメントを備えていてよい。したがって内部エレメントの詳しい説明は省略する。
【００１３】
ピン１は、支持ボルト２と結合されており、ここではピン１の上位の滑り面３は、支承部４をカバーしており、支承部４は、下向きに支承部リング５に支持されており、支承部リング５は支持ボルト２のヘッド６に載設されている。このようにしてピン１は、支持ボルト２に対して旋回可能であり、これについては両矢印７で示唆した。
【００１４】
支持ボルト２に、支承部リング５の上方で多角形部材８が対応配置されており、多角形部材８は滑り面３における開口９を貫通しており、この場合開口９は、ピン１がスムーズに回動できるような幅を有している。
【００１５】
本発明によれば、多角形部材８の周りに滑りウェイト１０が配置されており、滑りウェイト１０は、多角形部材８の領域で開口１１を備えており、開口１１を多角形部材８が形状接続式（formschluessig；形状による束縛）に貫通している。これによって滑りウェイト１０は、ピン１に対して回動不能になっている。しかしながら両矢印１２で示唆したように、滑りウェイト１０は、多角形部材８もしくは支持ピン２に沿って軸方向で調節することができる。
【００１６】
滑り面３は、湾曲した表面を有しており、この場合滑りウェイト１０の下面１３は、適当な凹形湾曲を有しているので、下面１３は、滑り面３の表面に密着する。
【００１７】
滑りウェイト１０およびピン１の支承部の全体配置構造は、ダストキャップ１４によって覆われている。
【００１８】
支持ボルト２は、最終的に架構１５に取り付けられ、取付はたとえばナット１６および固定ナット１７によって行われる。
【００１９】
滑り面３および下面（内側面）１３は、フラットに、つまり湾曲せずに形成してもよい。
【図面の簡単な説明】
【００２０】
【図１】本発明による、ボビンを保持するための装置を概略的に示す側面図である。
【符号の説明】
【００２１】
１  ピン、  ２  支持ボルト、  ３  滑り面、  ４  支承部、  ５  支承部リング、  ６  ヘッド、  ７  両矢印、  ８  多角形部材、  ９  開口、  １０  滑りウェイト、  １１  開口、  １２  両矢印、  １３  下面、  １４  ダストキャップ、  １５  架構、  １６  ナット、  １７  固定ナット
【図１】
2006151696.tif 000003